(57)【要約】【課題】  継目に紐材が侵入することを抑制することができるコムプレート具を提供する。【解決手段】  コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される複数の櫛板具と、継目に紐材が侵入することを抑制するために、継目よりも第１横方向の内側に配置される侵入抑制手段と、を備える。【選択図】  図５
2020147439.tif 000002
【特許請求の範囲】
【請求項１】
マンコンベヤの乗降床の端部に配置されるコムプレート具において、
第１横方向の内側に向けて突出する櫛歯を有し、互いの間で継目を形成するように、第１横方向と直交する第２横方向に並列される複数の櫛板具と、
前記継目に紐材が侵入することを抑制するために、前記継目よりも第１横方向の内側に配置される侵入抑制手段と、を備える、コムプレート具。
【請求項２】
前記侵入抑制手段は、前記櫛板具の上面よりも、下方に配置される、請求項１に記載のコムプレート具。
【請求項３】
前記櫛歯間に、凹部を備え、
前記継目は、所定の凹部から延び、
前記侵入抑制手段は、変形可能に構成され、
前記侵入抑制手段の少なくとも一部は、前記所定の凹部の内部に配置される、請求項１又は２に記載のコムプレート具。
【請求項４】
前記侵入抑制手段は、第１横方向の内側に向けて延びる長尺材を備える、請求項３に記載のコムプレート具。
【請求項５】
前記櫛歯間に、凹部を備え、
前記継目は、所定の凹部から延び、
前記侵入抑制手段は、前記櫛歯から前記所定の凹部の内部に向けて第２横方向に突出する突出部を備える、請求項１又は２に記載のコムプレート具。
【請求項６】
請求項１〜５の何れか１項に記載のコムプレート具を備える、マンコンベヤ。
【発明の詳細な説明】
【技術分野】
【０００１】
本発明は、コムプレート具及びマンコンベヤに関する。
【背景技術】
【０００２】
従来、例えば、コムプレート具は、第１横方向の内側に向けて突出する櫛歯を有する複数の櫛板具を備えている（例えば、特許文献１及び２）。そして、複数の櫛板具及び第２櫛板具は、第１横方向と直交する第２横方向に並列されている。これにより、複数の櫛板具間に、第１横方向に沿って延びる継目が形成されるため、紐材が継目に侵入する場合がある。
【先行技術文献】
【特許文献】
【０００３】
【特許文献１】特開２０１７−１０５６１０号公報
【特許文献２】特開２００９−２８０３６０号公報
【発明の概要】
【発明が解決しようとする課題】
【０００４】
そこで、課題は、継目に紐材が侵入することを抑制することができるコムプレート具及びマンコンベヤを提供することである。
【課題を解決するための手段】
【０００５】
コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される複数の櫛板具と、前記継目に紐材が侵入することを抑制するために、前記継目よりも第１横方向の内側に配置される侵入抑制手段と、を備える。
【０００６】
また、コムプレート具においては、前記侵入抑制手段は、前記櫛板具の上面よりも、下方に配置される、という構成でもよい。
【０００７】
また、コムプレート具は、前記櫛歯間に、凹部を備え、前記継目は、所定の凹部から延び、前記侵入抑制手段は、変形可能に構成され、前記侵入抑制手段の少なくとも一部は、前記所定の凹部の内部に配置される、という構成でもよい。
【０００８】
また、コムプレート具においては、前記侵入抑制手段は、第１横方向の内側に向けて延びる長尺材を備える、という構成でもよい。
【０００９】
また、コムプレート具は、前記櫛歯間に、凹部を備え、前記継目は、所定の凹部から延び、前記侵入抑制手段は、前記櫛歯から前記所定の凹部の内部に向けて第２横方向に突出する突出部を備える、という構成でもよい。
【００１０】
また、マンコンベヤは、前記のコムプレート具を備える。
【図面の簡単な説明】
【００１１】
【図１】図１は、一実施形態に係るマンコンベヤの概要図である。
【図２】図２は、同実施形態に係るマンコンベヤの乗降部の平面図である。
【図３】図３は、同実施形態に係るコムプレート具の全体平面図である。
【図４】図４は、同実施形態に係るコムプレート具の要部拡大平面図である。
【図５】図５は、図４のＶ−Ｖ線断面図である。
【図６】図６は、図３のVI−VI線断面図である。
【図７】図７は、他の実施形態に係るコムプレート具の要部拡大平面図である。
【図８】図８は、図７のVIII−VIII線断面図である。
【図９】図９は、図８と同じ位置の断面図であって、作用を説明する図である。
【図１０】図１０は、さらに他の実施形態に係るコムプレート具の要部拡大平面図である。
【図１１】図１１は、図１０のＸＩ−ＸＩ線断面図である。
【図１２】図１２は、同実施形態に係るコムプレート具の第１横方向の外側向き視の要部図である。
【図１３】図１３は、さらに他の実施形態に係るコムプレート具の第１横方向の外側向き視の要部図である。
【図１４】図１４は、図１３のＸIV−ＸIV線断面図である。
【発明を実施するための形態】
【００１２】
以下、マンコンベヤ及びコムプレート具における一実施形態について、図１〜図６を参照しながら説明する。なお、各図（図７〜図１４も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１０は、躯体（例えば、梁）に設置される構造体１１と、人を第１横方向Ｄ１へ搬送する搬送部１２と、搬送部１２を第２横方向Ｄ２で挟むように配置される一対の欄干部１３，１３（図１においては、一つのみを図示している）とを備えている。また、マンコンベヤ１０は、搬送部１２及び欄干部１３を駆動させる駆動部１４を備えている。
【００１４】
図１において、第１横方向Ｄ１は、水平方向と平行な方向であって、前後方向Ｄ１といい、第２横方向Ｄ２は、水平方向と平行な方向で且つ第１横方向Ｄ１と直交する方向であって、幅方向Ｄ２といい、第３方向Ｄ３は、鉛直方向と平行な方向であって、上下方向Ｄ３という。なお、第１横方向Ｄ１において、内側は、マンコンベヤ１０の第１横方向Ｄ１の中心に近い側となり、外側は、マンコンベヤ１０の第１横方向Ｄ１の中心から遠い側となる。
【００１５】
また、本実施形態に係るマンコンベヤ１０は、人を搬送するために、踏面が階段状になるエスカレータであるが、斯かる構成に限られない。例えば、マンコンベヤ１０は、人を搬送するために、踏面が平面状となる移動歩道（動く歩道）であってもよい。
【００１６】
搬送部１２は、駆動部１４に駆動されることによって無端回転する環状の走行部（例えば、チェーン）１２ａと、走行部１２ａに対して回転可能に接続され、人が乗る踏面を有する複数のステップ１２ｂとを備えている。走行部１２ａは、第２横方向Ｄ２に離れて一対設けられている（図１においては、一つのみ図示している）。そして、複数のステップ１２ｂは、一対の走行部１２ａ，１２ａの間に配置され、それぞれの走行部１２ａに対して回転可能に接続されている。
【００１７】
欄干部１３は、駆動部１４に駆動されることによって無端回転する環状の手摺ベルト１３ａと、手摺ベルト１３ａを支持するベルト支持部１３ｂとを備えている。また、欄干部１３は、ベルト支持部１３ｂの下部を覆うカバー部１３ｃを備えている。
【００１８】
駆動部１４は、ステップ１２ｂが反転するように、走行部１２ａが巻き掛けられる一対の回転部（例えば、スプロケット）１４ａ，１４ａと、回転部１４ａを回転させる駆動源（例えば、モータ）１４ｂとを備えている。なお、回転部１４ａは、構造体１１に回転可能に接続されている。
【００１９】
構造体１１は、各構成１２〜１４を支持している。また、構造体１１は、第１横方向Ｄ１のそれぞれの端部に、機械室１１ａ，１１ａを備えている。具体的には、構造体１１は、マンコンベヤ１０の各乗降部１０ａの下方に、機械室１１ａ，１１ａを備えている。また、マンコンベヤ１０は、各乗降部１０ａの床を構成する乗降床１５を備えている。乗降床１５は、各機械室１１ａ，１１ａを上方から覆うように、構造体１１の上に設置されている。
【００２０】
乗降床１５は、乗降部１０ａの床を構成するために、図２に示すように、構造体１１の上に設置される複数の床プレート具１５ａを備えている。なお、床プレート具１５ａの個数は、特に限定されないが、本実施形態においては、三つとしている。また、乗降床１５は、第１横方向Ｄ１の内側端部に配置されるコムプレート具１を備えている。
【００２１】
床プレート具１５ａは、欄干部１３が設置されている状態において、構造体１１に対して着脱可能である一方で、コムプレート具１は、欄干部１３が設置されている状態において、構造体１１に対して着脱不能である（なお、後述する「櫛板具」は、着脱可能である）。したがって、マンコンベヤ１０を保守及び点検する際に、床プレート具１５ａは、構造体１１から取り外され、コムプレート具１は、構造体１１から取り外されない。
【００２２】
また、床プレート具１５ａは、例えば、ボルト及びナットのような固定材によって、構造体１１に固定されていない。即ち、各床プレート具１５ａは、単に、構造体１１の上に載せられているだけであって、自重によって、構造体１１の上に設置されている。なお、床プレート具１５ａは、固定材によって、構造体１１に不動に固定されていてもよい。
【００２３】
図３及び図４に示すように、コムプレート具１は、平板状に形成されるプレート体２と、プレート体２の第１横方向Ｄ１の内側端部に着脱可能な複数の櫛板具３と、櫛板具３をプレート体２に固定する固定具４とを備えている。なお、コムプレート具１は、ボルト及びナットのような固定材によって、構造体１１（図２参照）に不動に固定されている。
【００２４】
また、複数の櫛板具３が第２横方向Ｄ２で並列されることによって、コムプレート具１は、櫛板具３，３間で、継目５を形成している。なお、継目５とは、櫛板具３，３同士が接して形成される継目だけでなく、櫛板具３，３間に隙間を有して形成される継目も含む。そして、コムプレート具１は、継目５に紐材Ｘ１が侵入することを抑制する侵入抑制手段６と、侵入抑制手段６をプレート体２及び櫛板具３に取り付ける取付部７とを備えている。
【００２５】
図４〜図６に示すように、プレート体２は、平板状に形成される本体部２１と、本体部２１の第１横方向Ｄ１の内側端部に連接され、複数の櫛板具３を下方から支持する支持部２２とを備えている。なお、支持部２２の厚みは、本体部２１の厚みよりも、薄くなっている。
【００２６】
櫛板具３は、プレート体２の支持部２２に固定される板状のベース部３１と、ベース部３１から第１横方向Ｄ１の内側に向けて突出する複数の櫛歯３２とを備えている。複数の櫛歯３２は、ステップ１２ｂ（図２参照）の踏面の凹凸と、非接触状態で噛み合うように、第２横方向Ｄ２に並列されている。なお、櫛板具３の個数は、複数であれば、特に限定されないが、本実施形態においては、コムプレート具１は、櫛板具３を七つ備えている。また、櫛歯３２の個数は、特に限定されない。
【００２７】
櫛板具３は、櫛歯３２，３２間に配置される凹部３４を備えている。凹部３４は、第２横方向Ｄ２の中央に、上下方向Ｄ３視で第１横方向Ｄ１の最も外側に位置する底部３４ａと、底部３４ａよりも第２横方向Ｄ２の外側に配置される底側部３４ｂとを備えている。そして、継目５は、所定の凹部３４の底部３４ａから延びている。
【００２８】
底部３４ａは、上下方向Ｄ３視で、直線状であって、第２横方向Ｄ２に沿って延びている。また、底側部３４ｂは、上下方向Ｄ３視で、第２横方向Ｄ２の外側に行くにつれて第１横方向Ｄ１の内側へ向かうように、形成されている。なお、本実施形態においては、底側部３４ｂは、上下方向Ｄ３視で、曲線状であるが、直線状であってもよい。そして、底側部３４ｂの第２横方向Ｄ２の外側端（第１横方向Ｄ１の内側端）は、櫛歯３２の第２横方向Ｄ２の内側端（第１横方向Ｄ１の外側端）と連接されている。
【００２９】
なお、プレート体２及び櫛板具３の材質は、特に限定されないが、プレート体２の強度は、櫛板具３の強度よりも、大きくなっていることが好ましい。これにより、例えば、プレート体２は、金属で形成されていてもよく、また、例えば、櫛板具３は、硬質樹脂で形成されていてもよい。
【００３０】
取付部７は、シート状に形成されている。そして、プレート体２の支持部２２と櫛板具３のベース部３１とが取付部７を挟むことによって、取付部７は、プレート体２及び櫛板具３に固定されている。
【００３１】
侵入抑制手段６は、取付部７から、第１横方向Ｄ１の内側に向けて延びる複数の長尺材６１を備えている。複数の長尺材６１の第１横方向Ｄ１の内側端部は、継目５よりも第１横方向Ｄ１の内側に配置されている。そして、長尺材６１の一部が、櫛歯３２，３２間の凹部３４の内部に配置されている。これにより、櫛歯３２は、長尺材６１が凹部３４の外部に移動することを、規制している。
【００３２】
したがって、、紐材Ｘ１が凹部３４に侵入した場合に、紐材Ｘ１は、長尺材６１の第１横方向Ｄ１の内側端部に止められる。その結果、紐材Ｘ１が凹部３４に侵入した場合でも、継目５に紐材Ｘ１が侵入することを抑制することができる。
【００３３】
また、長尺材６１は、線状に形成されている。そして、長尺材６１は、弾性又は柔軟性を有しており、変形可能に構成されている。これにより、紐材Ｘ１が長尺材６１に止められた際に、長尺材６１が変形するため、櫛歯３２と長尺材６１との間に紐材Ｘ１が挟み込まれて紐材Ｘ１が凹部３４から抜けなくなることを抑制することができる。
【００３４】
なお、長尺材６１の材質は、特に限定されないが、例えば、長尺材６１は、樹脂又は繊維で形成されていてもよい。また、取付部７の材質は、特に限定されないが、例えば、取付部７は、樹脂又は繊維で形成されていてもよい。
【００３５】
また、長尺材６１が内部に配置される凹部３４の範囲は、特に限定されないが、本実施形態においては、長尺材６１は、全ての凹部３４の内部に配置されている。また、取付部７の第２横方向Ｄ２の寸法は、特に限定されないが、本実施形態においては、取付部７は、プレート体２の支持部２２の第２横方向Ｄ２の全長に亘って配置されている。
【００３６】
そして、図６に示すように、長尺材６１は、櫛板具３の上面３５よりも、下方に配置されている。これにより、長尺材６１が櫛板具３の上面３５から露出していないため、人がコムプレート具１に載る際に、長尺材６１が人に載られることを抑制することができる。
【００３７】
また、長尺材６１は、ステップ１２ｂ（図２参照）の踏面の凹凸と接するように、延びている。なお、図６において、上方の二点鎖線Ｌ１は、ステップ１２ｂの踏面の凸の位置を示しており、下方の二点鎖線Ｌ２は、ステップ１２ｂの踏面の凹の位置を示している。これにより、ステップ１２ｂの踏面に付着している塵芥を、長尺材６１によって除去することができる。
【００３８】
固定具４は、特に限定されないが、本実施形態においては、雄ネジ材（例えば、ボルト）としている。そして、櫛板具３のベース部３１は、固定具４に挿入される孔部３３を備えており、取付部７は、固定具４に挿入される孔部７１を備えており、プレート体２の支持部２２は、固定具４のネジ部４１と螺合するネジ部（雌ネジ）２３を備えている。これにより、固定具４の頭部４２がベース部３１を止めることによって、櫛板具３は、プレート体２に固定され、取付部７は、プレート体２及び櫛板具３に固定されている。
【００３９】
なお、上方側の乗降床１５のコムプレート具１について、説明したが、下方側の乗降床１５のコムプレート具１も、継目５よりも第１横方向Ｄ１の内側に配置される侵入抑制手段６を備えている、という構成でもよい。即ち、一対の乗降床１５のコムプレート具１のうち、少なくとも一方は、継目５よりも第１横方向Ｄ１の内側に配置される侵入抑制手段６を備えている、という構成であればよい。
【００４０】
また、所定の隣り合う二つの櫛板具３，３について、説明したが、全ての隣り合う二つの櫛板具３，３間で形成される継目５に対して、侵入抑制手段６が第１横方向Ｄ１の内側に配置されている、という構成でもよい。即ち、複数の、隣り合う二つの櫛板具３，３のうち、少なくとも一つの、隣り合う二つの櫛板具３，３間で形成される継目５に対して、侵入抑制手段６が第１横方向Ｄ１の内側に配置されている、という構成であればよい。
【００４１】
以上より、本実施形態に係るマンコンベヤ１０は、前記のコムプレート具１を備える。
【００４２】
そして、本実施形態に係るコムプレート具１は、マンコンベヤ１０の乗降床１５の端部に配置されるコムプレート具１において、第１横方向Ｄ１の内側に向けて突出する櫛歯３２を有し、互いの間で継目５を形成するように、第１横方向Ｄ１と直交する第２横方向Ｄ２に並列される複数の櫛板具３と、前記継目５に紐材Ｘ１が侵入することを抑制するために、前記継目５よりも第１横方向Ｄ１の内側に配置される侵入抑制手段６と、を備える。
【００４３】
斯かる構成によれば、侵入抑制手段６が、継目５よりも、第１横方向Ｄ１の内側に配置されているため、紐材Ｘ１が継目５に侵入しようとした場合に、紐材Ｘ１は、侵入抑制手段６に止められる。これにより、継目５に紐材Ｘ１が侵入することを抑制することができる。
【００４４】
また、本実施形態に係るコムプレート具１においては、前記侵入抑制手段６は、前記櫛板具３の上面３５よりも、下方に配置される、という構成である。
【００４５】
斯かる構成によれば、侵入抑制手段６が、櫛板具３の上面３５よりも、下方に配置されているため、侵入抑制手段６は、櫛板具３の上面３５から露出しない。これにより、人がコムプレート具１に載る際に、人が侵入抑制手段６に載ることを抑制することができる。
【００４６】
また、本実施形態に係るコムプレート具１は、前記櫛歯３２，３２間に、凹部３４を備え、前記継目５は、所定の凹部３４から延び、前記侵入抑制手段６は、変形可能に構成され、前記侵入抑制手段６の少なくとも一部は、前記所定の凹部３４の内部に配置される、
という構成である。
【００４７】
斯かる構成によれば、紐材Ｘ１が侵入抑制手段６に止められる際に、侵入抑制手段６が変形するため、櫛歯３２と侵入抑制手段６との間に、紐材Ｘ１が挟み込まれることを抑制することができる。しかも、侵入抑制手段６の少なくとも一部が、所定の凹部３４の内部に配置されているため、侵入抑制手段６は、変形した場合でも、凹部３４の内部に位置し続ける。これにより、紐材Ｘ１が所定の凹部３４に侵入した場合に、侵入抑制手段６によって、紐材Ｘ１を確実に止めることができる。
【００４８】
また、本実施形態に係るコムプレート具１においては、前記侵入抑制手段６は、第１横方向Ｄ１の内側に向けて延びる長尺材６１を備える、という構成である。
【００４９】
斯かる構成によれば、長尺材６１は、所定の凹部３４の内部を、第１横方向Ｄ１の内側に向けて延びている。これにより、紐材Ｘ１が所定の凹部３４に侵入した場合に、長尺材６１の第１横方向Ｄ１の内側端部によって、紐材Ｘ１を確実に止めることができる。
【００５０】
なお、マンコンベヤ１０及びコムプレート具１は、上記した実施形態の構成に限定されるものではなく、また、上記した作用効果に限定されるものではない。また、マンコンベヤ１０及びコムプレート具１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５１】
（１）上記実施形態に係るコムプレート具１においては、長尺材６１は、線状に形成されている、という構成である。しかしながら、コムプレート具１は、斯かる構成に限られない。例えば、図７〜図９に示すように、長尺材６１は、板状に形成されている、という構成でもよい。
【００５２】
図７〜図９に係る長尺材６１においては、少なくとも第１横方向Ｄ１の内側端部６１ａが、弾性を有している。そして、図９に示すように、紐材Ｘ１が継目５に侵入しようとした場合に、紐材Ｘ１は、侵入抑制手段６に止められる。このとき、長尺材６１の内側端部６１ａは、弾性変形し、第１横方向Ｄ１視で、継目５の第１横方向Ｄ１の内側端部５１の一部と重なっている。
【００５３】
なお、図７及び図８に示すように、長尺材６１が復元している際にも、長尺材６１の内側端部６１ａは、第１横方向Ｄ１視で、継目５の内側端部５１の少なくとも一部と重なっている。そして、長尺材６１が復元している際に、長尺材６１は、櫛板具３の上面３５よりも、下方に配置されている。
【００５４】
（２）また、上記実施形態に係るコムプレート具１においては、侵入抑制手段６は、変形可能に構成されている、という構成である。しかしながら、コムプレート具１は、斯かる構成に限られない。例えば、侵入抑制手段６は、変形しないように、剛性を有している、という構成でもよい。
【００５５】
（３）また、上記実施形態に係るコムプレート具１においては、侵入抑制手段６は、第１横方向Ｄ１の内側に向けて延びる長尺材６１を備えている、という構成である。しかしながら、コムプレート具１は、斯かる構成に限られない。例えば、図１０〜図１２に示すように、侵入抑制手段６は、第２横方向Ｄ２向けて突出している突出部６２を備えている、という構成でもよい。また、例えば、図１３及び図１４に示すように、侵入抑制手段６は、継目５を覆うカバー体６３を備えている、という構成でもよい。
【００５６】
（３−１）図１０〜図１２に係るコムプレート具１は、前記櫛歯３２，３２間に、凹部３４を備え、前記継目５は、所定の凹部３４から延び、前記侵入抑制手段６は、前記櫛歯３２から前記所定の凹部３４の内部に向けて第２横方向Ｄ２に突出する突出部６２を備える、という構成である。
【００５７】
斯かる構成によれば、突出部６２が、櫛歯３２から所定の凹部３４の内部に向けて第２横方向Ｄ２に突出しているため、突出部６２は、所定の凹部３４の内部に配置されている。これにより、紐材Ｘ１（図１０〜図１２においては、図示していない）が所定の凹部３４に侵入した場合に、侵入抑制手段６によって紐材Ｘ１を確実に止めることができる。
【００５８】
図１０〜図１２に係る突出部６２は、剛性を有しているが、弾性を有していてもよい。また、突出部６２は、第１横方向Ｄ１視で、継目５の第１横方向Ｄ１の内側端部５１の少なくとも一部と重なっている。そして、突出部６２は、櫛板具３の上面３５よりも、下方に配置されている。
【００５９】
なお、突出部６２は、継目５の第１横方向Ｄ１の内側端部５１から離れて配置されているが、継目５の第１横方向Ｄ１の内側端部５１に接して配置されていてもよい。また、突出部６２は、隣り合う櫛板具３，３のうち、一方の櫛板具３の櫛歯３２から突出し、他方の櫛板具３の櫛歯３２に接している。
【００６０】
（３−２）図１３及び図１４に係るコムプレート具１においては、侵入抑制手段６は、カバー体６３を備えている。そして、カバー体６３は、シート状に形成されており、所定の凹部３４の底部３４ａに固定されている。これにより、カバー体６３は、継目５の第１横方向Ｄ１の内側端部５１の一部を覆っている。
【００６１】
なお、カバー体６３の固定手段は、特に限定されない。例えば、カバー体６３は、凹部３４の底部３４ａとの間に、接着層又は粘着層を介在させて、凹部３４の底部３４ａに固定されていてもよい。
【００６２】
（４）また、上記実施形態に係るコムプレート具１においては、侵入抑制手段６は、櫛板具３の上面３５よりも、下方に配置されている、という構成である。しかしながら、コムプレート具１は、斯かる構成が好ましいものの、斯かる構成に限られない。例えば、侵入抑制手段６の一部は、櫛板具３の上面３５よりも、上方に配置されている、という構成でもよい。
【００６３】
（５）また、上記実施形態に係るコムプレート具１においては、継目５は、底部３４ａから延びている、という構成である。しかしながら、コムプレート具１は、斯かる構成に限られない。例えば、継目５は、底側部３４ｂから延びている、という構成でもよい。また、例えば、継目５は、底側部３４ｂよりも第１横方向Ｄ１の内側、即ち、櫛歯３２から延びている、という構成でもよい。
【００６４】
（６）また、上記実施形態に係るコムプレート具１においては、凹部３４は、底部３４ａと、底部３４ａの第２横方向Ｄ２の外側端に連接される底側部３４ｂとを備えている、という構成である。しかしながら、コムプレート具１は、斯かる構成に限られない。例えば、凹部３４は、底側部３４ｂを備えておらず、底部３４ａの第２横方向Ｄ２の外側端は、櫛歯３２に連接されている、という構成でもよい。
【００６５】
（７）また、上記実施形態に係るコムプレート具１においては、凹部３４の底部３４ａは、上下方向Ｄ３視で、直線状に形成されている、という構成である。しかしながら、コムプレート具１は、斯かる構成に限られない。例えば、凹部３４の底部３４ａは、底側部３４ｂ，３４ｂが接合する位置のみであって、上下方向Ｄ３視で、点である、という構成でもよい。
【００６６】
（８）また、上記実施形態に係るコムプレート具１においては、櫛板具３は、それぞれプレート体２に対して着脱可能である、という構成である。しかしながら、コムプレート具１は、斯かる構成に限られない。例えば、隣り合う二つの櫛板具３，３のうち、一方は、プレート体２に対して着脱可能であって、他方は、プレート体２に対して着脱不能である、という構成でもよい。
【符号の説明】
【００６７】
１…コムプレート具、２…プレート体、３…櫛板具、４…固定具、５…継目、６…侵入抑制手段、７…取付部、１０…マンコンベヤ、１０ａ…乗降部、１１…構造体、１１ａ…機械室、１２…搬送部、１２ａ…走行部、１２ｂ…ステップ、１３…欄干部、１３ａ…手摺ベルト、１３ｂ…ベルト支持部、１３ｃ…カバー部、１４…駆動部、１４ａ…回転部、１４ｂ…駆動源、１５…乗降床、１５ａ…床プレート具、２１…本体部、２２…支持部、２３…ネジ部、３１…ベース部、３２…櫛歯、３３…孔部、３４…凹部、３４ａ…底部、３４ｂ…底側部、３５…上面、４１…ネジ部、４２…頭部、５１…内側端部、６１…長尺材、６１ａ…内側端部、６２…突出部、６３…カバー体、７１…孔部、Ｄ１…第１横方向、Ｄ２…第２横方向、Ｄ３…上下方向、Ｘ１…紐材
【図１】
2020147439.tif 000003
【図２】
2020147439.tif 000004
【図３】
2020147439.tif 000005
【図４】
2020147439.tif 000006
【図５】
2020147439.tif 000007
【図６】
2020147439.tif 000008
【図７】
2020147439.tif 000009
【図８】
2020147439.tif 000010
【図９】
2020147439.tif 000011
【図１０】
2020147439.tif 000012
【図１１】
2020147439.tif 000013
【図１２】
2020147439.tif 000014
【図１３】
2020147439.tif 000015
【図１４】
2020147439.tif 000016